【手続補正書】
【提出日】平成18年2月21日(2006.2.21)
【手続補正１】
【補正対象書類名】明細書
【補正対象項目名】特許請求の範囲
【補正方法】変更
【補正の内容】
【特許請求の範囲】
【請求項１】
ドキュメントデータに付加情報を埋め込む情報処理方法であって、
ドキュメントデータを入力するドキュメントデータ入力工程と、
付加情報を入力する付加情報入力工程と、
所定の画像を入力する画像入力工程と、
入力したドキュメントデータに対して、前記付加情報を埋め込む第１の埋め込み工程と、
入力した画像に前記付加情報を埋め込む第２の埋め込み工程と、
前記第１、第２の埋め込み工程での埋め込み結果を合成する合成工程と
を備えることを特徴とする情報処理方法。
【請求項２】
前記第１、第２の埋め込み工程は電子透かしによる埋め込みであることを特徴とする請求項１に記載の情報処理方法。
【請求項３】
前記第２の埋め込み工程による耐性は、前記第１の埋め込み工程の耐性より低くすることを特徴とする請求項２に記載の情報処理方法。
【請求項４】
前記第２の埋め込み工程による耐性は、複写機で複写された場合に埋め込み情報の検証が不能になる低い耐性を有することを特徴とする請求項３に記載の情報処理方法。
【請求項５】
前記第１の埋め込み工程は、ドキュメントデータ中に含まれる部分画像の外接矩形とその隣接部分画像の外接矩形間の距離を調整することを各部分画像に対して行うことで情報を埋め込み、
前記第２の埋め込み工程は、画像入力工程で入力された画像の画素に対して変化を与えることで情報を埋め込む
ことを特徴とする請求項第１項に記載の情報処理方法。
【請求項６】
前記付加情報入力工程は、
前記ドキュメントデータ入力工程で入力したドキュメントデータから、当該ドキュメントに関する情報を抽出する抽出工程を含み、
当該抽出した情報を付加情報として入力することを特徴とする請求項１乃至５のいずれか１項に記載の情報処理方法。
【請求項７】
更に、前記抽出工程で抽出された情報を暗号化処理する暗号化工程を備え、
前記第１、第２の埋め込み工程は、該暗号化工程によって暗号化処理された情報を付加情報として前記画像データに埋め込むことを特徴とする請求項６に記載の情報処理方法。
【請求項８】
更に、前記抽出工程で抽出された情報に誤り訂正符号処理する誤り訂正処理工程を備え、
前記第１、第２の埋め込み工程は、該誤り訂正符号処理工程で処理された情報を付加情報として前記画像データに埋め込むことを特徴とする請求項６に記載の情報処理方法。
【請求項９】
更に、前記抽出工程で抽出された情報を暗号化処理する暗号化工程と、
該暗号化工程で暗号化された情報に誤り訂正符号処理する誤り訂正処理工程とを備え、
前記第１、第２の埋め込み工程は、該誤り訂正符号処理工程で処理された情報を付加情報として前記画像データに埋め込むことを特徴とする請求項６に記載の情報処理方法。
【請求項１０】
ドキュメントデータがオリジナルと一致するかどうかを検証する情報処理方法であって、
ドキュメントデータを入力する工程と、
ドキュメントデータから、当該ドキュメントデータに複数の異なる埋め込み方法によって付加情報が埋め込まれているものとして、それぞれの埋め込み方法に対応する抽出工程を実行する工程と、
各抽出工程の抽出結果に基づいて、入力したドキュメントデータのオリジナルに対する関係を判定する判定工程と
を備えることを特徴とする情報処理方法。
【請求項１１】
前記抽出工程は、第１、第２の抽出工程が含まれ、
前記判定工程は、前記第１、第２の抽出工程で付加情報が抽出できたか否か、抽出できた場合には抽出された付加情報に基づいて、入力したドキュメントデータのオリジナルに対する関係を判定する
ことを特徴とする請求項１０に記載の情報処理方法。
【請求項１２】
前記第１の抽出工程で抽出しようとする埋め込み方法は、前記第２の抽出工程で抽出しようとする埋め込み方法と異なる耐性を有することを特徴とする請求項１１に記載の情報処理方法。
【請求項１３】
前記第１の抽出工程は、ドキュメントデータの背景画像を構成する画素の変化に基づいて埋め込まれた付加情報を抽出し、
前記第２の抽出工程は、ドキュメントデータ中の部分画像の外接矩形と、その隣接する部分画像の外接矩形間の距離にもとづいて埋め込まれた付加情報を抽出する
ことを特徴とする請求項１１に記載の情報処理方法。
【請求項１４】
前記判定工程は、
前記第１、第２の抽出工程で抽出された付加情報が互いに一致する場合、入力したドキュメントデータはオリジナルに相当するものとして判定し、
いずれか一方のみが付加情報の抽出に成功した場合、或いは、両方とも抽出に成功した場合であってもそれぞれの付加情報が一致しない場合には複製物に相当するものとして判定し、
いずれによっても付加情報の抽出に失敗した場合には、検証不能として判定する
ことを特徴とする請求項１１乃至１３のいずれか１項に記載の情報処理方法。
【請求項１５】
ドキュメントデータに付加情報を埋め込む情報処理装置であって、
ドキュメントデータを入力するドキュメントデータ入力手段と、
付加情報を入力する付加情報入力手段と、
所定の画像を入力する画像入力手段と、
入力したドキュメントデータに対して、前記付加情報を埋め込む第１の埋め込み手段と、
入力した画像に前記付加情報を埋め込む第２の埋め込み手段と、
前記第１、第２の埋め込み手段での埋め込み結果を合成する合成手段と
を備えることを特徴とする情報処理装置。
【請求項１６】
ドキュメントデータがオリジナルと一致するかどうかを検証する情報処理装置であって、
ドキュメントデータを入力する入力手段と、
複数の異なる埋め込み方法によって埋め込まれた付加情報を抽出するため、それぞれの埋め込み方法に応じた、複数の異なる抽出手段と、
入力手段で入力されたドキュメントデータに対して、各抽出手段を実行させ、それぞれの抽出結果に基づいて、入力したドキュメントデータのオリジナルに対する関係を判定する判定手段と
を備えることを特徴とする情報処理装置。
【請求項１７】
複写物か否かを検証可能な文書を作成する文書作成方法であって、
画像データを入力する画像データ入力工程と、
ドキュメントデータを入力するドキュメントデータ入力工程と、
付加情報を入力する付加情報入力工程と、
前記ドキュメントデータに前記付加情報を埋め込み可能か否かを判定する判定工程と、
前記判定工程による判定結果に応じて、前記画像データを第１の領域と第２の領域に分割する領域分割工程と、
前記付加情報を前記第１の領域に埋め込む第１の付加情報埋め込み工程と、
前記付加情報を前記第２の領域に埋め込む第２の付加情報埋め込み工程と、
前記付加情報が埋め込まれた画像データと前記ドキュメントデータを合成する合成工程と、
前記合成工程によって合成された画像データを出力する画像出力工程
とを有することを特徴とする情報処理方法。
【請求項１８】
ドキュメントデータがオリジナルと一致するかどうかを検証する検証方法であって、
ドキュメントデータを入力するドキュメントデータ入力工程と、
前記入力されたドキュメントデータに応じて、前記ドキュメントデータを少なくとも２つ以上の領域に分割する領域分割工程と、
分割された夫々の領域に異なる埋め込み方法によって付加情報が埋め込まれているものとして、夫々の埋め込み方法に対応する抽出工程を実行する工程と、
各抽出工程の抽出結果に基づいて、入力したドキュメントデータのオリジナルに対する関係を判定する判定工程と
を備えることを特徴とする情報処理方法。
【請求項１９】
複写物か否かを検証可能な文書を作成する文書作成装置であって、
画像データを入力する画像データ入力手段と、
ドキュメントデータを入力するドキュメントデータ入力手段と、
付加情報を入力する付加情報入力手段と、
前記ドキュメントデータに前記付加情報を埋め込み可能か否かを判定する判定手段と、
前記判定手段による判定結果に応じて、前記画像データを第１の領域と第２の領域に分割する領域分割手段と、
前記付加情報を前記第１の領域に埋め込む第１の付加情報埋め込み手段と、
前記付加情報を前記第２の領域に埋め込む第２の付加情報埋め込み手段と、
前記付加情報が埋め込まれた画像データと前記ドキュメントデータを合成する合成手段と、
前記合成工程によって合成された画像データを出力する画像出力手段
とを有することを特徴とする情報処理装置。
【請求項２０】
ドキュメントデータがオリジナルと一致するかどうかを検証する検証装置であって、
ドキュメントデータを入力するドキュメントデータ入力手段と、
前記入力されたドキュメントデータに応じて、前記ドキュメントデータを少なくとも２つ以上の領域に分割する領域分割手段と、
分割された夫々の領域に異なる埋め込み方法によって付加情報が埋め込まれているものとして、夫々の埋め込み方法に対応する抽出工程を実行する手段と、
各抽出手段の抽出結果に基づいて、入力したドキュメントデータのオリジナルに対する関係を判定する判定手段と
を備えることを特徴とする情報処理装置。
【請求項２１】
請求項１５、１６、１９、２０のいずれか１項に記載の情報処理装置の機能をコンピュータに実行させるためのコンピュータプログラム。
【請求項２２】
請求項２１に記載のコンピュータプログラムを格納したことを特徴とするコンピュータ可読記憶媒体。